【事件の表示】
　特願２０１６−１７８２６７「透明リブ構造，複合光学プリズム，及び光学プリズムを形成する方法」拒絶査定不服審判事件〔平成３０年３月２２日出願公開，特開２０１８−４５０１５〕について，次のとおり審決する。
【結　論】
　本件審判の請求は，成り立たない。
【理　由】
第１　手続等の経緯
　特願２０１６−１７８２６７号（以下「本件出願」という。）は，平成２８年９月１３日を出願日とする特許出願であって，その手続等の経緯は，概略，以下のとおりである。
平成２９年　８月２４日付け：拒絶理由通知書
平成２９年１０月２５日付け：意見書
平成２９年１０月２５日付け：手続補正書
平成３０年　３月　５日付け：拒絶査定（以下「原査定」という。）
平成３０年　５月１６日付け：審判請求書
平成３０年　５月１６日付け：手続補正書
　
第２　補正の却下の決定
［補正の却下の結論］
　平成３０年５月１６日にされた手続補正（以下「本件補正」という。）を却下する。
　
［理由］
　１　本件補正について
　(1) 本件補正前の特許請求の範囲の記載
　本件補正前の請求項１及び請求項８に係る発明は，平成２９年１０月２５日付け手続補正書によって補正された特許請求の範囲の請求項１及び請求項８に記載された事項からみて，以下のものである（当合議体注：下線部を付した「第一山形リブ」が，「第一山型リブ」と記載されていたので，誤記と認めて訂正した。本件補正後についても同様である。）。
「【請求項１】
　透明リブ構造であって，
　光源に対し高透過性を有する基材と，
　第一頂角と第一高さを有し，前記基材から垂直に延伸し，かつ前記基材に対し異なる重合性質を有する第一山形リブと，
　第二頂角と第二高さを有し，前記基材から垂直に延伸し，かつ前記第一山形リブと同じ重合性質を有する第二山形リブと，
　前記基材上に位置し，かつ前記第一山形リブと前記第二山形リブとの間に位置して，前記透明リブ構造を統合式光学プリズムとする台形の第一谷とを含み，
　前記
第一山形リブ
　
【請求項８】
　前記透明リブ構造は，さらに，
　前記基材から垂直に延伸する第三山形リブを有し，
　第二谷が前記基材上に位置し，かつ前記第三山形リブと前記第二山形リブとの間に位置する，請求項１に記載の透明リブ構造。」
　
　(2) 本件補正後の特許請求の範囲の記載
　本件補正後の請求項１に係る発明は，本件補正後の特許請求の範囲の請求項１に記載された事項によって特定されるとおりの，次のものである。
「【請求項１】
　透明リブ構造であって，
　光源に対し高透過性を有する基材と，
　第一頂角と第一高さを有し，前記基材から垂直に延伸し，かつ前記基材に対し異なる重合性質を有する第一山形リブと，
　第二頂角と第二高さを有し，前記基材から垂直に延伸し，かつ前記第一山形リブと同じ重合性質を有する第二山形リブと，
　第三頂角と第三高さを有し，前記基材から垂直に延伸し，かつ前記基材に対し異なる重合性質を有する第三山形リブと，
　前記基材上に位置し，かつ前記第一山形リブと前記第二山形リブとの間に位置する台形の第一谷と，
　前記基材上に位置し，かつ前記第二山形リブと前記第三山形リブとの間に位置する台形の第二谷と，を含み，
　前記第一谷及び前記第二谷により，前記透明リブ構造が統合式光学プリズムとなり，
　前記第一山形リブと第二山形リブが第一光学領域に属する第一光学パラメータを有し，前記第三山形リブが前記第一光学領域に接近する第二光学領域に属する第二光学パラメータを有し，
　前記
第一山形リブ
　
　２　本件補正の内容
　本件補正は，本件出願の明細書の【００３４】及び【００３５】，並びに，【００５０】の記載に基づいて，本件補正前の請求項８に係る発明を特定するために必要な事項に関して，以下の限定を付加して請求項１とするものである。
　(1) 「第三山形リブ」について，「第三頂角と第三高さを有し」，「基材に対し異なる重合性質を有する」という限定を付加する。
　(2) 「第二谷」について，「台形の」という限定を付加する。
　(3) 「第二谷」について，（第一谷に加えて第二谷にもより）「透明リブ構造が統合式光学プリズムとなり」という限定を付加する。
　(4) 「第一山形リブ」及び「第二山形リブ」について，「第一光学領域に属する第一光学パラメータを有し」という限定を付加する。
　(5) 「第三山形リブ」に関して，「第一光学領域に接近する第二光学領域に属する第二光学パラメータを有し」という限定を付加する。
　(6) 「第二山形リブ」に関して，「第三山形リブの間に第二距離を有する」という限定を付加する。
　また，本件補正前の請求項８に係る発明と，本件補正後の請求項１に係る発明の，産業上の利用分野及び解決しようとする課題は同一である。
　そうしてみると，本件補正は，特許法１７条の２第３項の規定に適合するものである。また，本件補正は，同条５項１号の請求項の削除，及び同項２号の特許請求の範囲の減縮を目的とするものに該当する。
　
　３　独立特許要件について
　前記２で述べたとおりであるから，本件補正後の請求項１に係る発明（以下「本件補正後発明」という。）が特許法１７条の２第６項において準用する同法１２６条７項の規定に適合するか（特許出願の際独立して特許を受けることができるものであるか）について，以下，検討する。
　(1) 引用文献２の記載
　原査定の拒絶の理由において引用文献２として引用された特開２００５−３２６６１３号公報（以下「引用文献２」という。）は，本件出願の出願前に頒布された刊行物であるところ，そこには，以下の記載がある。なお，下線は当合議体が付したものであり，引用発明の認定に活用した箇所を示す。
　ア　「【発明の詳細な説明】
【技術分野】
【０００１】
　本発明は，プリズムシートに関するものである。
【背景技術】
【０００２】
　近年，液晶表示装置は，ノートパソコンやデスクトップパソコンのモニターやテレビ等として種々の分野で広く使用されてきている。
…(省略)…
【発明が解決しようとする課題】
【０００６】
　本発明の目的は，上述した従来のプリズムシートの問題を解決し，正面輝度向上効果が大きく，かつ後加工性にも優れたプリズムシートを提供することにある。
【課題を解決するための手段】
【０００７】
　すなわち本発明は，下記構造式（１）で表されるグルタル酸無水物単位を１０〜４０重量％含有するアクリル樹脂（Ａ）を含有する樹脂組成物から構成される基材の少なくとも片面上に，樹脂からなり断面形状が頂角７０〜１１０゜の三角形をなす三角柱状のプリズムをピッチ１００μｍ以下で複数並列に設けてなることを特徴とするプリズムシートである。
【０００８】
【化１】
【０００９】
（上記式中，Ｒ１，Ｒ２は，同一または相異なる水素原子または炭素数１〜５のアルキル基を表す。）
【発明の効果】
【００１０】
　本発明により，正面輝度向上効果が大きく，かつ後加工性にも優れたプリズムシートを提供することができる。」
　
　イ　「【発明を実施するための最良の形態】
【００１１】
…(省略)…
【００３８】
　本発明のプリズムシートは，基材の少なくとも片面に，樹脂からなるプリズムを複数並列に設けてなる。液晶表示素子の上にプリズムを複数並列に設けることにより，光の拡散を抑制し，輝度の高い指向性に優れた液晶表示装置を得ることができる。
【００３９】
　プリズムを構成する樹脂としては，アクリル酸エステル系樹脂とメタクリル酸エステル系樹脂の少なくとも一方を含むものであることが，透明性の点から好ましい。
【００４０】
　プリズムの形状としては，その断面形状が三角形をなし，その頂角を７０〜１１０゜とすることが重要であり，好ましくは７５〜９５゜である。頂角が７０゜未満では，指向性が顕著になりすぎ正面以外から見た場合には画面が著しく暗くなる。逆に１１０゜を超えると，光の集光性が低下し輝度向上効果が得られなくなる。
【００４１】
　プリズムのピッチとしては，１００μｍ以下である必要があり，好ましくは７０〜９０μｍである。プリズムのピッチが１００μｍ以下である時にカラーフィルターの画素ごとの輝度ムラやモアレの発生を抑制できるだけではなく輝度の大きなプリズムシートを得ることが出来る。また，特に７０〜９０μｍの時に加工上安定な形状を有し，輝度向上効果の優れたプリズムシートとすることが出来る。
【００４２】
　また，プリズムの凹凸の高さは，プリズムの頂角とピッチの値によって決まるが，好ましくは３０〜５０μｍの範囲である。
さらに，三角プリズムシートの厚さは，強度面からは厚い方が好ましいが，光学的には光の吸収を抑えるため薄い方が好ましい。
…(省略)…
【００９３】
　次に，本発明のプリズムシート上にプリズムを設置する方法について説明する。プリズムは，活性エネルギー線硬化型樹脂組成物を，プリズムパターンに対応した金型あるいは樹脂型等の成形型に塗布し，
樹脂組成物の表面を平滑化した後，アクリル樹脂基材を重ね合わせ
活性エネルギー線を照射して硬化させる
によって製造され
液晶表示装置のカラー化に伴うカラーフィルターのファイン化にも対応できるファインピッチのプリズムパターンを，光学特性を損なうことなく
製造
【００９４】
　すなわち，本発明のプリズムシートにおいて，プリズムを構成する樹脂は，活性エネルギー線硬化型樹脂組成物の硬化したものであることが好ましい。かかる
活性エネルギー線硬化型樹脂組成物
は，透明性に優れ
，三角プリズムシートの機械的特性等の点から，架橋硬化重合物を与えるもの
例えば，ポリエステル（メタ）アクリレート，エポキシ（メタ）アクリレート，ポリウレタン（メタ）アクリレート等のプレポリマーと，単官能あるいは多官能の（メタ）アクリレートモノマーとの組合せ等が挙げられる。
【００９５】
　
活性エネルギー線硬化型樹脂組成物の硬化に使用する活性エネルギー線
は，
紫外線
【００９６】
　
活性エネルギー線硬化型樹脂組成物
プリズムパターンが形成された成形型のパターン部を均一に埋めるようにプリズム部先端部を形成する樹脂組成物を塗布する第１塗布工程
さらにその上にプリズム部基部を形成する樹脂組成物を塗布する第２塗布工程の２段階の塗布工程によって塗布
樹脂組成物塗布層の表面を平滑化する
活性エネルギー線を照射して樹脂組成物層を硬化
半硬化する
…(省略)…
【産業上の利用可能性】
【０１３０】
　本発明で得られるプリズムシートは，サイドライト型あるいは直下型バックライトを有する液晶表示装置に広く用いることができ，その優れた輝度特性，耐熱性から，ノートパソコンなどの薄型液晶表示装置，ＰＤＡ，携帯ゲーム機などのモバイル用液晶表示装置や，車載テレビやカーナビゲーションなど高温での使用が想定される液晶表示装置に最適である。」
　
　(2) 引用発明
　引用文献２には，全体としてみると【０００７】及び【０００８】に記載された，プリズムの基材に特徴を有する，液晶表示装置の三角プリズムシートの発明が記載されている。ただし，引用文献２の【００９３】〜【００９６】の記載に接した当業者ならば，【００９６】に記載された好ましいとされる塗布方法によって製造されてなる，以下の発明を把握することができる（以下「引用発明」という。）。なお，「樹脂組成物」と「活性エネルギー線硬化型樹脂組成物」は，「活性エネルギー線硬化型樹脂組成物」で用語を統一した。
「　プリズムパターンが形成された成形型のパターン部を均一に埋めるようにプリズム部先端部を形成する活性エネルギー線硬化型樹脂組成物を塗布する第１塗布工程，
　活性エネルギー線硬化型樹脂組成物塗布層の表面を平滑化する工程，
　活性エネルギー線を照射して活性エネルギー線硬化型樹脂組成物層を硬化又は半硬化する工程，
　さらにその上にプリズム部基部を形成する活性エネルギー線硬化型樹脂組成物を塗布する第２塗布工程，
　活性エネルギー線硬化型樹脂組成物の表面を平滑化した後，アクリル樹脂基材を重ね合わせる工程，
　２段階の塗布工程によって塗布した活性エネルギー線硬化型樹脂組成物を，活性エネルギー線を照射して硬化させる工程，によって製造され，
　活性エネルギー線硬化型樹脂組成物は，透明性に優れ，三角プリズムシートの機械的特性等の点から，架橋硬化重合物を与えるものであり，
　活性エネルギー線硬化型樹脂組成物の硬化に使用する活性エネルギー線は，紫外線であり，
　液晶表示装置のカラー化に伴うカラーフィルターのファイン化にも対応できるファインピッチのプリズムパターンを，光学特性を損なうことなく製造してなる，
　三角プリズムシート。」
　
　(3) 引用文献３の記載
　原査定の拒絶の理由において引用文献３として引用された特開２００９−１２８９０４号公報（以下「引用文献３」という。）は，本件出願の出願前に頒布された刊行物であるところ，そこには，以下の記載がある。
　ア　「【技術分野】
【０００１】
　本発明は光学フィルム及びこれを含む液晶表示装置に関する。」
　
　イ　「【０１０６】
　図１２〜図１４を参照すれば，本発明のまた他の実施形態に係る光学フィル７００は基材７１０，前記基材７１０上に位置して，第１突出部７２１及び第２突出部７２２を含む複数の突出部７２０及び前記基材７１０下部に位置する反射型偏光フィルム７３０を含み，
前記第１突出部７２１の高さ（ｈ１）は前記第２突出部７２２の高さ（ｈ２）とお互いに異なる。
…（省略）…
【０１０９】
　複数の突出部７２０は第１突出部７２１及び第２突出部７２２を含み， 前記第１突出部７２１の高さ（ｈ１）及び幅（ｗ１）は前記第２突出部７２２の高さ（ｈ２）及び幅（ｗ２）とお互いに異なる。
…（省略）…
【０１１１】
　複数の突出部７２０の断面を注意深く見れば，突出部７２０はお互いに異なる断面形状に成り得るし，三角形，例えば二等弁三角形（当合議体注「二等弁三角形」は「
二等辺三角形
【０１１２】
　そして，第１突出部７２１の断面と第２突出部７２２の断面はお互いに異なる形状であってもよいが，これに限定されないでお互いに同一の形状であってもよい。
…（省略）…
【０１２６】
　前記のように，本発明の一つの実施形態に係る光学フィルムは不規則的に形成された複数の突出部及び反射型偏光フィルムを含むことで，光源から入射される光の効率を向上させて，光源から入射される光を突出部で不規則的に屈折させて
光干渉現象を防止
　
　ウ　図１２〜図１４
図１２：
図１３：
図１４：
　
　(4) 引用文献５の記載
　原査定の拒絶の理由において引用文献５として引用された特開２０１１−１４５６４４号公報（以下「引用文献５」という。）は，本件出願の出願前に頒布された刊行物であるところ，そこには，以下の記載がある。
　ア　「【技術分野】
【０００１】
　本発明は，偏光フィルムの片面または両面に積層されたプリズム形状またはレンズ形状を表面に有するシート部材を備える偏光板，ならびにそれを用いた液晶パネルおよび液晶表示装置に関する。」
　
　イ　「【００２９】
　図２は，プリズム形状を表面に有するシート部材（以下，プリズムシートともいう）の一例を示す概略斜視図である。
…（省略）…
【００３０】
　プリズムシートが有するライン状突起において，断面三角形形状における頂点の角度（頂角）は，たとえば，１０度以上１２０度以下の範囲とすることができるが，好ましくは３０〜１００度の範囲である。…（省略）…
断面三角形形状における二辺は，同じ長さであってもよい
異なる複数の高さを有するものであってもよい
　
　ウ　「【００３５】
　図４の（Ｂ）に示すような，隣り合うプリズム形状の間に形成される谷部５６に平坦部５７を有する場合は，その平坦部５７を挟んで，一つのプリズム５０の頂部５１から隣り合う次のプリズム５３の頂部５４までの距離が，稜線のピッチ間隔Ｐとなる。…（省略）…
一つのプリズム５０の斜面の終点５２から隣り合う次のプリズム５３の斜面の始点５５までの距離ｄ（平坦部５７の幅）が，プリズム形状の稜線のピッチ間隔Ｐに対して３０％以下であれば，良好な離型性を維持しながらシート部材１０２を製造することができ，得られるシート部材の光学特性にも大きな影響を与えない。
　
　エ　図２，図４（Ｂ）
図２：
図４（Ｂ）：
　
　(5) 引用文献６の記載
　原査定の拒絶の理由において引用文献６として引用された特開平５−３３３３３４号公報（以下「引用文献６」という。）は，本件出願の出願前に頒布された刊行物であるところ，そこには，以下の記載がある。
　ア　「【０００１】
【産業上の利用分野】本発明は，光源装置に用いられる集光装置に関し，より詳細には，バックライト光を集光するプリズムレンズを用いた液晶表示装置の光源装置に用いられる集光装置に関する。」
　
　イ　「【００１４】…（省略）…図２に示すように，
平坦部２をプリズム部１の複数間に設け，平坦部の面積とプリズム部の数で視角特性を調節する
　
　ウ　「【００１６】図３（ａ）〜（ｄ）は，本発明によるプリズムレンズの他の実施例を示す構成図である。
…（省略）…
【００１７】…（省略）…
本発明により頭頂角度の異なるプリズムレンズを設けたため，角度θ
01(2)
方向にも光が出ていく。角度θ
01(2)
方向の光の強さは，それぞれのプリズム部の頭頂角，面積のデューディー比で調節することができる。
　
　エ　図２，図３（ａ）
図２：
図３（ａ）：
　
　(6) 引用文献７の記載
　特開２０１１−１２８５９２号公報（以下「引用文献７」という。）は，本件出願の出願前に頒布された刊行物であるところ，そこには，以下の記載がある。
　ア　「【技術分野】
【０００１】
　本発明は，偏光板に関し，より詳しくは液晶表示装置の液晶セルとバックライトとの間に配置される背面側偏光板として好適に用いられる偏光板に関する。」
　
　イ　「【００３２】
　＜プリズムシート＞
　図２は，図１に示すプリズムシート３の概略斜視図である。
…（省略）…
【００３３】
…（省略）…複数のプリズム部３２同士は，ｘ方向の断面の形が互いに相似形状であるが，大きさが異なる少なくとも２種類の形状を有し，大きさの異なるプリズム部の配置順序はランダムである。ｘ方向とｙ方向とは互いに直交する。
…（省略）…
【００３５】
　
プリズム部３２の断面三角形形状における頂角を形成する二辺は，同じ長さであってもよい
　
　ウ　「【００５２】
　プリズムシートは，上述の通り，プリズム部が複数配列されたプリズム成形面を有する。…（省略）…図５の（Ｂ）に示す形態は，プリズムシート３のプリズム部のｘ方向の断面において，隣り合うプリズム部の間に形成される谷部５６に平坦部５７を有するものである。
…（省略）…
【００５３】
…（省略）…稜線間の間隔Ｐ，
プリズム部の高さｈは，
隣り合うプリズム部毎に異なる値となる
…（省略）…
【００５４】
…（省略）…
一つのプリズム部５０の斜面の終点５２から隣り合う次のプリズム部５３の斜面の始点５５までの距離ｄ（平坦部５７の幅）が，プリズム部の稜線の間隔Ｐに対して３０％以下であれば，良好な離型性を維持しながらプリズムシート３を製造することができ，得られるプリズムシートの光学特性にも大きな影響を与えない。
　
　エ　図２，図５（Ｂ）
図２：
図５（Ｂ）：
　
　(7) 対比
　本件補正後発明と引用発明を対比すると，以下のとおりとなる。
　ア　リブ（山形リブ），透明リブ構造，基材
　引用発明の「三角プリズムシート」は，「プリズムパターンが形成された成形型のパターン部を均一に埋めるようにプリズム部先端部を形成する活性エネルギー線硬化型樹脂組成物を塗布する第１塗布工程」，「活性エネルギー線硬化型樹脂組成物塗布層の表面を平滑化する工程」，「活性エネルギー線を照射して活性エネルギー線硬化型樹脂組成物層を硬化又は半硬化する工程」，「さらにその上にプリズム部基部を形成する活性エネルギー線硬化型樹脂組成物を塗布する第２塗布工程」，「活性エネルギー線硬化型樹脂組成物の表面を平滑化した後，アクリル樹脂基材を重ね合わせる工程」，「２段階の塗布工程によって塗布した活性エネルギー線硬化型樹脂組成物を，活性エネルギー線を照射して硬化させる工程」，「によって製造され」たものである。また，引用発明の「活性エネルギー線硬化型樹脂組成物は，透明性に優れ，三角プリズムシートの機械的特性等の点から，架橋硬化重合物を与えるものであ」る。
　ここで，引用発明の「三角プリズムシート」は，その用途（液晶表示装置の三角プリズムシート），材料（透明性に優れる架橋硬化重合物），上記の製造工程から推察される形状等からみて，透明で断面三角形状をした「プリズム部先端部」が，その断面三角形状の底辺を「プリズム部基部」に接した状態で，多数配列された構造のものである（液晶表示装置の三角プリズムシートにおける，技術常識でもある。）。また，本件補正後発明でいう「リブ」（山形リブ）とは，本件出願の【図７】において，符号１１５，１２５，１３５及び１４５によって指し示された，三角プリズムの１個１個のことと解される。
　加えて，引用発明の「プリズム部基部」は，その名のとおり，基材といえる部分である。また，引用発明の「三角プリズムシート」の用途，材料，製造工程等からみて，引用発明の「プリズム部基部」は，光源に対し高透過性を有するものである（液晶表示装置の三角プリズムシートにおける，技術常識でもある。）。
　したがって，引用発明の「プリズム部先端部」，「プリズム部基部」及び「三角プリズムシート」は，それぞれ，本件補正後発明の「リブ」（山形リブ），「基材」及び「透明リブ構造」に相当する。また，引用発明の「プリズム部基部」は，本件補正後発明の「基材」における，「光源に対し高透過性を有する」という要件を満たすものである。
　
　イ　第１山形リブ，第２山形リブ，第３山形リブ
　上記アで述べたとおり，引用発明の「三角プリズムシート」は，断面三角形状をした「プリズム部先端部」が，その断面三角形状の底辺を「プリズム部基部」に接した状態で，多数配列されたものである。
　そうしてみると，引用発明の「プリズム部先端部」は，頂角と高さを有し，プリズム部基部から垂直に延伸したものといえる。
　加えて，引用発明の「プリズム部先端部」と「プリズム部基部」は，「活性エネルギー線を照射して活性エネルギー線硬化型樹脂組成物層を硬化又は半硬化する工程」の後かつ「２段階の塗布工程によって塗布した活性エネルギー線硬化型樹脂組成物を，活性エネルギー線を照射して硬化させる工程」の前の時点で，その硬化状態が異なるから，その粘度，重合度，化学性質又は主鎖の長さが異なるといえる。また，本件出願の明細書の【００４４】には，「最終重合ステップの前に，予備重合材料１５９と第二重合可能な材料１６０の初期状態，例えば，粘度，重合度，化学性質又は主鎖の長さが異なる場合があるため，それぞれ完全に重合した後，第一最終重合材料１５１と第二最終重合材料１６１それぞれ異なる高分子性質を有する。」と記載されている。そうしてみると，引用発明の「プリズム部先端部」は，プリズム部基部に対し異なる重合性質を有するといえる。
　加えて，引用発明の各「プリズム部先端部」は，その製造工程からみて，同一の工程を経て製造されるから，互いに同じ重合性質を有するといえる。
　さらに，上記アで述べたとおり，引用発明の「三角プリズムシート」は，断面三角形状の「プリズム部先端部」が多数配列されたものであるから，隣接する「プリズム部先端部」に対して，「第１」，「第２」及び「第３」といった順序を付けて呼ぶことができる（以下，引用発明の「プリズム部先端部」の１つを「第１プリズム部先端部」といい，その隣の「プリズム部先端部」を「第２プリズム部先端部」といい，さらにその隣の「プリズム部先端部」を「第３プリズム部先端部」という。「頂角」及び「高さ」についても，同様とする。）。
　以上勘案すると，引用発明の「第１プリズム部先端部」，「第２プリズム部先端部」及び「第３プリズム部先端部」は，それぞれ本件補正後発明の「第一山形リブ」，「第二山形リブ」及び「第三山形リブ」に相当する。
　また，引用発明の「第１プリズム部先端部」は，本件補正後発明の「第一山形リブ」における，「第一頂角と第一高さを有し，前記基材から垂直に延伸し，かつ前記基材に対し異なる重合性質を有する」という要件を満たす。同様に，引用発明の「第２プリズム部先端部」及び「第３プリズム部先端部」は，それぞれ，本件補正後発明の「第二山形リブ」及び「第三山形リブ」における，「第二頂角と第二高さを有し，前記基材から垂直に延伸し，かつ前記第一山形リブと同じ重合性質を有する」及び「第三頂角と第三高さを有し，前記基材から垂直に延伸し，かつ前記基材に対し異なる重合性質を有する」という要件を満たす。
　
　ウ　第一谷，第二谷
　上記アで述べたとおり，引用発明の「三角プリズムシート」は，断面三角形状をした「プリズム部先端部」が，その断面三角形状の底辺を「プリズム部基部」に接した状態で，多数配列されたものである。また，引用発明の「三角プリズムシート」は，製造時から上下ひっくり返して観察しても（上下方向を逆に定義してみても）構わないものである。
　そうしてみると，引用発明の「第１プリズム部先端部」と「第２プリズム部先端部」の間には，プリズム部基部上に位置し，かつ第１プリズム部先端部と第２プリズム部先端部との間に位置する第一谷と称しうる部分（以下「第一谷部分」という。）があるといえる。また，引用発明の「第２プリズム部先端部」と「第３プリズム部先端部」の間についても，プリズム部基部上に位置し，かつ第２プリズム部先端部と第３プリズム部先端部との間に位置する第二谷と称しうる部分（以下「第二谷部分」という。）があるといえる。加えて，引用発明の「第１プリズム先端部」，「第２プリズム先端部」及び「第３プリズム先端部」は，互いに，上記の「第一谷部分」及び「第二谷部分」を介して配列されたものといえる。
　したがって，引用発明の「三角プリズムシート」と本件補正後発明の「透明リブ構造」は，「前記基材上に位置し，かつ前記第一山形リブと前記第二山形リブとの間に位置する」「第一谷と」，「前記基材上に位置し，かつ前記第二山形リブと前記第三山形リブとの間に位置する」「第二谷と，を含み」，「前記第一谷及び前記第二谷により，前記透明リブ構造が統合式光学プリズムとなり」という構成において共通する。
　
　(8) 一致点及び相違点
　ア　一致点
　本件補正後発明と引用発明は，次の構成で一致する。
「　透明リブ構造であって，
　光源に対し高透過性を有する基材と，
　第一頂角と第一高さを有し，前記基材から垂直に延伸し，かつ前記基材に対し異なる重合性質を有する第一山形リブと，
　第二頂角と第二高さを有し，前記基材から垂直に延伸し，かつ前記第一山形リブと同じ重合性質を有する第二山形リブと，
　第三頂角と第三高さを有し，前記基材から垂直に延伸し，かつ前記基材に対し異なる重合性質を有する第三山形リブと，
　前記基材上に位置し，かつ前記第一山形リブと前記第二山形リブとの間に位置する第一谷と，
　前記基材上に位置し，かつ前記第二山形リブと前記第三山形リブとの間に位置する第二谷と，を含み，
　前記第一谷及び前記第二谷により，前記透明リブ構造が統合式光学プリズムとなる，
　透明リブ構造。」
　
　イ　相違点
　本件補正後発明と引用発明は，以下の点で相違する。
（相違点１）
　「第一谷」及び「第二谷」が，本件補正後発明は，「台形の」ものであるのに対して，引用発明は，このように特定されたものではない点。
　また，「透明リブ構造」について，本件補正後発明は，「前記第一山形リブと前記第二山形リブとの間に第一距離を有し，前記第二山形リブと前記第三山形リブの間に第二距離を有する」のに対して，引用発明は，このように特定されたものではない点。
　
（相違点２）
　「透明リブ構造」について，本件補正後発明は，「前記第一山形リブと第二山形リブが第一光学領域に属する第一光学パラメータを有し，前記第三山形リブが前記第一光学領域に接近する第二光学領域に属する第二光学パラメータを有し」という構成を具備するのに対して，引用発明は，このように特定されたものではない点。
　
　(9) 判断
　ア　相違点１について
　液晶表示装置の三角プリズムシートにおいて，三角プリズム間に平坦部を設けたものは周知である。例えば，引用文献５の【００３５】には，三角プリズムシートの離型性を良好にすることを目的として，三角プリズム間に平坦部を設けた，三角プリズムシートが開示されている。また，引用文献６の【００１４】には，視角特性を調整することを目的として三角プリズム間に平坦部を設けた，三角プリズムシートが開示されている。引用文献７の【００５４】にも，引用文献５と同様の事項が開示されている。
　引用発明の「三角プリズムシート」において，プリズムパターンが形成された成形型からの離型性，あるいは，三角プリズムシートの視角特性を考慮した当業者が，三角プリズム間に平坦部を設けた形状を採用することにより，相違点１に係る本件補正後発明の構成を具備したものとすることは，当業者における通常の創意工夫の範囲内の事項である。
　
　イ　相違点２について
　本件出願の【００３４】及び【００３５】の記載からみて，相違点２に係る本件補正後発明の構成は，三角プリズムの形状（頂角，高さ等）が互いに異なることによってもたらされるものと理解される。
　ここで，液晶表示装置の三角プリズムシートにおいて，三角プリズムの高さが異なるものは周知である。例えば，引用文献３の【０１０６】及び【０１２６】には，【図１２】とともに，光干渉現象を防止することを目的として，三角プリズムの高さを異ならせた，三角プリズムシートが開示されている。また，引用文献６の【００１７】には，【図３】（ａ）とともに，視角特性を改善することを目的として，三角プリズムの頂角を異ならせた，三角プリズムシートが開示されている。引用文献７の【００５３】にも，【図２】とともに，引用文献３と同様の事項が開示されている。
　引用発明の「三角プリズムシート」において，光干渉現象の防止，あるいは，三角プリズムシートの視角特性を考慮した当業者が，三角プリズムの形状（頂角，高さ等）を互いに異なるものとすることにより，相違点２に係る本件補正後発明の構成を具備したものとすることは，当業者における通常の創意工夫の範囲内の事項である。
（当合議体注：引用文献３の【図１２】でいえば，右から１〜３番目の突出部を，それぞれ本件補正後発明の第一山形リブ〜第三山形リブと考えることができる。また，引用文献７の【図２】でいえば，左（引用文献７の紙面の向きでいえば下）から２〜４番目の突出部を，それぞれ本件補正後発明の第一山形リブ〜第三山形リブと考えることができる。）
　
　(10) 予備的な見解
　ア　「垂直」について
　本件補正後発明の「垂直に」が意味する構成が，仮に，各リブの断面三角形状が，二等辺三角形状であることを意味すると解釈しても，そのような構成は，液晶表示装置の三角プリズムシートにおける通常の形状である（例えば，引用文献３の【０１１１】，引用文献５の【００３０】，引用文献７の【００３５】を参照。）。
　そして，引用発明において，このような形状を採用することは，引用発明の三角プリズムシートを具体化する当業者が普通に採用しうる構成にすぎない。
　
　イ　「第一」，「第二」及び「第三」について
　特許請求の範囲には，本件補正後発明の「第一高さ」及び「第二高さ」と，「第三高さ」が異なる旨は記載されていないから，これら高さは，同一であっても構わないと理解される。
　念のため，これら高さが異なるものと理解しても，そのような構成は，液晶表示装置の三角プリズムシートにおける周知の形状である（例えば，引用文献３の【図１２】，引用文献５の【００３０】，引用文献７の【００５３】を参照。）。
　そして，引用発明において，このような形状を採用することは，引用発明の三角プリズムシートを具体化する当業者が普通に採用しうる構成にすぎない。
　「第一距離」及び「第二距離」についても，同様である。
　
　ウ　「台形」について
　相違点２に関する前記(9)イの判断や前記イに関係する事項であるが，引用発明において，「第２プリズム部先端部」の高さと，「第３プリズム部先端部」の高さを異ならせた場合，「第二谷部分」の形状は「台形」ではなくなる（当合議体注：上底と下底が平行でなくなる。）。
　しかしながら，本件出願の【図４ｂ】等から看取されるとおり，本件補正後発明は，このような形状となる「第二谷」も含めて，「台形」と称している。
　したがって，相違点２に関する前記(9)イの判断，及び前記イの判断に誤りはない。
　
　エ　重合性質
　本件補正後発明の「重合性質」が，仮に，樹脂材料の相違を意味するものとしても，そのような構成は，引用文献２の記載が示唆する範囲内の事項である。
　すなわち，引用文献２の【００９４】には，「例えば，ポリエステル（メタ）アクリレート，エポキシ（メタ）アクリレート，ポリウレタン（メタ）アクリレート等のプレポリマーと，単官能あるいは多官能の（メタ）アクリレートモノマーとの組合せ等が挙げられる。」と記載されている。そして，プリズムパターンが形成された成形型への追従性を考慮した当業者が，引用発明の「第１塗布工程」に使用する「活性エネルギー線硬化型樹脂組成物」の粘度を低く調整することを目的として「単官能あるいは多官能の（メタ）アクリレートモノマー」の割合を，「第２塗布工程」に使用するものより高めのものとすることは，当業者が「活性エネルギー線硬化型樹脂組成物」の調整時に必然的に勘案すべき事項にすぎない。
　
　(11) 本件補正後発明の効果について
　本件出願の明細書には，本願発明の効果に関する明示的な記載は存在しない。
　ただし，本件出願の明細書の【０００３】には，発明が解決しようとする課題に関して，「従来のプリズム制作プロセスにおいて，重合反応の後に気泡がプリズム先端付近に蓄積する不具合があった。」と記載されている。
　そうしてみると，本件補正後発明の効果は，「プリズム制作プロセスにおいて，重合反応の後に気泡がプリズム先端付近に蓄積する不具合を回避すること」にあると考えられる。
　しかしながら，引用文献２の【００９６】には，「第１の塗布層を平滑化した後に，活性エネルギー線を照射して樹脂組成物層を硬化または半硬化すると，第２塗布工程において第１の樹脂組成物塗布層の流動による気泡の発生を抑制できるため好ましい。」と記載されている。
　そうしてみると，本件補正後発明の効果は，引用発明が奏する効果である。
　
　４　補正の却下の決定のむすび
　本件補正後発明は，引用文献２に記載された発明及び周知技術に基づいて，当業者が容易に発明をすることができたものである。そうしてみると，本件特許発明は，特許法２９条２項の規定により特許出願の際独立して特許を受けることができないものである。
　したがって，本件補正は，特許法１７条の２第６項において準用する同法１２６条７項の規定に違反するので，同法１５９条１項の規定において読み替えて準用する同法５３条１項の規定により却下すべきものである。
　よって，［補正の却下の決定の結論］のとおり決定する。
　
第３　本願発明について
　１　本願発明
　本件補正は，上記のとおり却下されたので，本件出願の請求項８に係る発明は，前記「第２」［理由］１(1)に記載のとおりのものである（以下「本願発明」という。）。
　
　２　原査定の拒絶の理由
　原査定の拒絶の理由は，本願発明は，本件出願の出願前に日本国内又は外国において頒布された刊行物である引用文献２に記載された発明及び周知技術に基づいて，その出願前にその発明の属する技術の分野における通常の知識を有する者が容易に発明をすることができたものであるから，特許法２９条２項の規定により特許を受けることができない，という理由を含むものである。
引用文献２：特開２００５−３２６６１３号公報
引用文献３：特開２００９−１２８９０４号公報
引用文献４：特開平１０−２５３８０１号公報
引用文献５：特開２０１１−１４５６４４号公報
引用文献６：特開平５−３３３３３４号公報
（当合議体注：引用文献３〜引用文献６は，周知技術を例示する文献として挙げられたものである。）
　
　３　引用文献の記載及び引用発明
　原査定の拒絶の理由で引用された引用文献２，引用文献３，引用文献５及び引用文献６の記載，並びに，引用発明は，前記「第２」［理由］３(1)〜(5)に記載のとおりである。
　
　４　対比，判断
　本願発明は，前記「第２」［理由］３において検討した本件補正後発明から，前記「第２」［理由］２(1)〜(6)で述べた限定事項を削除したものである。
　そうすると，本願発明の発明特定事項を全て含み，さらに他の限定事項を付加したものである本件補正後発明が，前記「第２」［理由］３(7)〜(11)に記載したとおり，引用文献２に記載された発明及び周知技術に基づいて，当業者が容易に発明をすることができたものであるから，本願発明も，引用文献２に記載された発明及び周知技術に基づいて，当業者が容易に発明をすることができたものである。
　
第４　むすび
　以上のとおり，本願発明は，特許法２９条２項の規定により特許受けることができない。
　したがって，他の請求項に係る発明について検討するまでもなく，本件出願は拒絶されるべきものである。
　よって，結論のとおり審決する。